(57)【要約】  【構成】  高周波テレビジョン信号は、アンテナ１２ａおよび１２ｂの各々によって捉えられる。セレクタ１４は、かかるアンテナ１２ａおよび１２ｂの一方を選択する。間引き回路２８は、受信された高周波テレビジョン信号に基づいて複数フィールドの映像データを作成する。作成された映像データは、書き込み制御回路３０によって、フィールド単位で間欠的にバッファメモリ３２に書き込まれる。読み出し制御回路３４は、バッファメモリ３２に格納された映像データを、書き込み制御回路３４による書き込み動作の合間で読み出す。ＬＣＤドライバ３６は、バッファメモリ３２から読み出された映像データに基づく映像を、書き込み動作の合間でＬＣＤモニタ３８に表示する。また、ＣＰＵ２２は、書き込み動作の合間でセレクタ１４にアンテナの切り換えを要求する。  【効果】  アンテナを的確に切り換えることができる。【選択図】  図１
2007266986.tif 000002
【特許請求の範囲】
【請求項１】
各々が高周波テレビジョン信号を捉える複数のアンテナのいずれか１つを選択する選択手段、
前記選択手段によって選択されたアンテナで捉えられた高周波テレビジョン信号に基づいて複数画面の映像データを作成する作成手段、
前記作成手段によって作成された映像データを画面単位で間欠的に抽出する抽出手段、
前記抽出手段によって抽出された映像データに基づく映像を映像モニタに表示する表示手段、および
前記抽出手段による抽出動作の合間で前記選択手段にアンテナの切り換えを要求する要求手段を備える、テレビジョン受信機。
【請求項２】
前記要求手段は、前記複数のアンテナの各々の受信感度情報に注目して切り換え先のアンテナを特定する特定手段、および前記特定手段によって特定されたアンテナへの切り換えを要求する要求信号を発行する発行手段を含む、請求項１記載のテレビジョン受信機。
【請求項３】
前記作成手段は前記高周波テレビジョン信号を中間周波数信号に変換する変換手段を含み、
前記受信感度情報は前記変換手段によって変換された中間周波数信号のゲインを制御する制御電圧を含む、請求項２記載のテレビジョン受信機。
【請求項４】
前記高周波テレビジョン信号のゲインがエラー条件に合致するとき前記要求手段を能動化する能動化手段をさらに備える、請求項１ないし３のいずれかに記載のテレビジョン受信機。
【請求項５】
前記作成手段によって作成される複数画面の映像データはインタレース走査を施された奇数フィールド画面および偶数フィールド画面によって形成され、
前記抽出手段は奇数フィールド期間および偶数フィールド期間の一方で抽出動作を実行する、請求項１ないし４のいずれかに記載のテレビジョン受信機。
【請求項６】
前記抽出手段によって抽出された映像データを格納するメモリ、および
前記メモリに格納された映像データを前記奇数フィールド期間および前記偶数フィールド期間の他方で読み出す読み出し手段をさらに備え、
前記表示手段は前記読み出し手段によって読み出された映像データに基づく映像を表示する、請求項５記載のテレビジョン受像機。
【請求項７】
前記映像モニタの垂直解像度は前記作成手段によって作成される各画面の映像データの垂直解像度以下である、請求項１ないし６のいずれかに記載のテレビジョン受像機。
【請求項８】
前記作成手段は前記抽出手段によって抽出される映像データの解像度を低減する低減手段を含む、請求項７記載のテレビジョン受信機。
【発明の詳細な説明】
【技術分野】
【０００１】
この発明は、テレビジョン受信機に関し、特にたとえば複数のアンテナのいずれか１つによって捉えられた高周波テレビジョン信号に基づく映像をモニタに表示する、テレビジョン受信機に関する。
【背景技術】
【０００２】
従来のこの種の装置の一例が、特許文献１に開示されている。この従来技術は、複数のアンテナのうち映像電界レベルが最大のアンテナを選択する映像ダイバーシティ動作を映像信号の垂直ブランキング期間に実行しようとするものである。これによって、映像の同期外れを防止することができる。
【特許文献１】特開平７−３２２１５６号公報［H04N 5/44, H04B 7/08］
【発明の開示】
【発明が解決しようとする課題】
【０００３】
しかし、従来技術では、映像ダイバーシティ動作を実行できる期間が垂直ブランキング期間に限られるため、アンテナを的確に切り換えることができないという問題がある。
【０００４】
それゆえに、この発明の主たる目的は、アンテナを的確に切り換えることができる、テレビジョン受信機を提供することである。
【課題を解決するための手段】
【０００５】
請求項１の発明に従うテレビジョン受信機(10)は、各々が高周波テレビジョン信号を捉える複数のアンテナ(12a, 12b)のいずれか１つを選択する選択手段(14)、選択手段によって選択されたアンテナで捉えられた高周波テレビジョン信号に基づいて複数画面の映像データを作成する作成手段(16, 18, 20, 26, 28)、作成手段によって作成された映像データを画面単位で間欠的に抽出する抽出手段(30)、抽出手段によって抽出された映像データに基づく映像を映像モニタ(38)に表示する表示手段(36)、および抽出手段による抽出動作の合間で選択手段にアンテナの切り換えを要求する要求手段(S47, S49)を備える。
【０００６】
高周波テレビジョン信号は、複数のアンテナの各々によって捉えられる。選択手段は、このような複数のアンテナのいずれか１つを選択する。複数画面の映像データは、選択されたアンテナで捉えられた高周波テレビジョン信号に基づいて、作成手段によって作成される。抽出手段は、作成された映像データを画面単位で間欠的に抽出する。抽出された映像データに基づく映像は、表示手段によって映像モニタに表示される。要求手段は、抽出手段による抽出動作の合間で選択手段にアンテナの切り換えを要求する。
【０００７】
映像データを画面単位で間欠的に抽出することで、少なくとも１画面に相当する期間が抽出動作の合間に確保される。アンテナの切り換えはこのような合間で要求され、これによってアンテナが切り換えられる。少なくとも１画面に相当する期間を確保することで、アンテナを的確に切り換えることができる。
【０００８】
請求項２の発明に従うテレビジョン受信機は、請求項１に従属し、要求手段は、複数のアンテナの各々の受信感度情報に注目して切り換え先のアンテナを特定する特定手段(S47)、および特定手段によって特定されたアンテナへの切り換えを要求する要求信号を発行する発行手段(S49)を含む。これによって、表示映像の品質の向上が図られる。
【０００９】
請求項３の発明に従うテレビジョン受信機は、請求項２に従属し、作成手段は高周波テレビジョン信号を中間周波数信号に変換する変換手段(18)を含み、受信感度情報は変換手段によって変換された中間周波数信号のゲインを制御する制御電圧を含む。これによって、切り換え先のアンテナは中間周波数信号のゲインに基づいて選択される。
【００１０】
請求項４の発明に従属するテレビジョン受信機は、請求項２または３に従属し、高周波テレビジョン信号のゲインがエラー条件に合致するとき要求手段を能動化する能動化手段(S37)をさらに備える。したがって、アンテナ切り換え制御は高周波テレビジョン信号のゲインに基づいて能動化／不能化される。この結果、不必要なアンテナ切り換え制御が省略され、消費電力の削減が図られる。
【００１１】
請求項５の発明に従うテレビジョン受像機は、請求項１ないし４のいずれかに従属し、作成手段によって作成される複数画面の映像データはインタレース走査を施された奇数フィールド画面および偶数フィールド画面によって形成され、抽出手段は奇数フィールド期間および偶数フィールド期間の一方で抽出動作を実行する。
【００１２】
請求項６の発明に従うテレビジョン受信機は、請求項５に従属し、抽出手段によって抽出された映像データを格納するメモリ(32)、およびメモリに格納された映像データを奇数フィールド期間および偶数フィールド期間の他方で読み出す読み出し手段(34)をさらに備え、表示手段は読み出し手段によって読み出された映像データに基づく映像を表示する。
【００１３】
つまり、映像データは画面単位で間欠的にメモリに書き込まれる一方、メモリに格納された映像データは書き込み動作の合間で読み出される。これによって、メモリに書き込まれる映像データの品質つまり表示される映像の品質が表示手段の表示動作に起因して発生した高周波ノイズによって劣化することはない。この結果、表示映像の品質が向上する。
【００１４】
請求項７の発明に従うテレビジョン受像機は、請求項１ないし６のいずれかに従属し、映像モニタの垂直解像度は作成手段によって作成される各画面の映像データの垂直解像度以下である。これによって、間欠的な書き込み動作に起因する表示映像の更新周期の低下を防止することができる。
【００１５】
請求項８の発明に従うテレビジョン受像機は、請求項７に従属し、作成手段は抽出手段によって抽出される映像データの解像度を低減する低減手段を含む。抽出に先立って解像度を低減させることで、処理データ量を抑制することができる。
【発明の効果】
【００１６】
この発明によれば、映像データを画面単位で間欠的に抽出することで、少なくとも１画面に相当する期間が抽出動作の合間に確保される。アンテナの切り換えはこのような合間で要求され、これによってアンテナが切り換えられる。少なくとも１画面に相当する期間を確保することで、アンテナを的確に切り換えることができる。
【００１７】
この発明の上述の目的，その他の目的，特徴および利点は、図面を参照して行う以下の実施例の詳細な説明から一層明らかとなろう。
【発明を実施するための最良の形態】
【００１８】
図１を参照して、この実施例の携帯型テレビジョン受像機１０は、複数のアンテナ１２ａおよび１２ｂを含む。複数の放送局からそれぞれ送出された複数チャネルの高周波テレビジョン信号は、アンテナ１２ａおよび１２ｂの各々によって捉えられる。セレクタ１４は、アンテナ１２ａおよび１２ｂの一方を選択し、チューナ１６は、セレクタ１４によって選択されたアンテナで捉えられた複数チャネルの高周波テレビジョン信号の中から、所望のチャネルの高周波テレビジョン信号を抽出する。
【００１９】
放送される高周波テレビジョン信号は、振幅変調を施された信号である。ＶＩＦ／ＳＩＦ回路１８は、かかる高周波テレビジョン信号をチューナ１６から入力し、入力された高周波テレビジョン信号を映像中間周波数信号および音声中間周波数信号に変換する。変換された映像中間周波数信号および音声中間周波数信号はそれぞれ、ＮＴＳＣデコーダ２０および音声処理回路（図示せず）に与えられる。
【００２０】
ＮＴＳＣデコーダ２０は、与えられた映像中間周波数信号をデコードして、ＮＴＳＣ方式のコンポジットビデオ信号を生成する。生成されたコンポジット映像信号は、図２（Ａ）に示すように、インタレース走査された複数フィールドの映像信号と、１フィールドに１つの割合で挿入された複数の垂直同期信号Ｖｓｙｎｃとを含む。各フィールドの映像信号は１／６０秒毎にＡ／Ｄ変換器２６に与えられ、垂直同期信号Ｖｓｙｎｃは１／６０秒毎にＣＰＵ２２に与えられる。
【００２１】
Ａ／Ｄ変換器２６は、与えられた映像信号をディジタル信号である映像データに変換する。ＬＣＤモニタ３８の垂直解像度は、Ａ／Ｄ変換器２６から出力された各フィールドの映像データの垂直解像度に等しいかこれよりも低い。間引き回路２８は、変換された映像データの解像度を低減し、低減された解像度を有する映像データを書き込み制御回路３０に与える。間引き回路２８の処理によって低減された解像度は、ＬＣＤモニタ３８の解像度と一致する。
【００２２】
ＣＰＵ２２は、垂直同期信号Ｖｓｙｎｃに基づいて、２フィールドに１回の割合で書き込み命令を書き込み制御回路３０に与える。書き込み制御回路３０は、書き込み命令を受けた時点のフィールドに属する映像データをバスＢ１を介してバッファメモリ３２に書き込む。これによって、たとえば図２（Ｂ）に示す奇数フィールドの映像データが、バッファメモリ３２に格納される。
【００２３】
ＣＰＵ２２はまた、２フィールドに１回の割合で、読み出し命令および表示命令を読み出し制御回路３４およびＬＣＤドライバ３６にそれぞれ与える。ただし、読み出し命令および表示命令の各々は、書き込み命令の発行タイミングと相補的なタイミングで発行される。つまり、書き込み命令が奇数フィールドおよび偶数フィールドの一方で発行される場合、読み出し命令および表示命令の各々は奇数フィールドおよび偶数フィールドの他方で発行される。
【００２４】
読み出し制御回路３４は、バッファメモリ３２に格納された１フィールドの映像データを、読み出し命令が発行される毎に読み出す。各フィールドの映像データは、図２（Ｃ）に示す要領でバッファメモリ３２から読み出され、バスＢ１および読み出し制御回路３４を介してＬＣＤドライバ３６に与えられる。ＬＣＤドライバ３６は、表示命令を受けたとき、読み出し制御回路３４から与えられた映像データに従って、１フィールド期間にわたってＬＣＤモニタ３８を駆動する。この結果、モニタ画面に表示される画像は、図２（Ｄ）に示す要領で１／３０秒毎に更新される。
【００２５】
ＶＩＦ／ＳＩＦ回路１８は、高周波テレビジョン信号を映像中間周波数信号および音声中間周波数信号に変換する以外に、高周波テレビジョン信号のゲインを目標値に合わせるためのＲＦ＿ＡＧＣ電圧と映像中間周波数信号のゲインを目標値に合わせるためのＩＦ＿ＡＧＣ電圧とを作成する。作成されたＲＦ＿ＡＧＣ電圧およびＩＦ＿ＡＧＣ電圧はいずれも、ＣＰＵ２２に与えられる。
【００２６】
ＲＦ＿ＡＧＣ電圧は、電界強度に対して図３（Ａ）に示す要領で変化する。また、ＩＦ＿ＡＧＣ電圧は、電界強度に対して図３（Ｂ）に示す要領で変化する。電界強度が低下する方向に眺めると、ＲＦ＿ＡＧＣ電圧は電界強度がディレイポイントＤＰを下回った時点でパルス状に立ち上がるのに対して、ＩＦ＿ＡＧＣ電圧は電界強度がディレイポイントＤＰを下回った後に徐々に上昇する。これより、ＲＦ＿ＡＧＣ電圧がディレイポイントＤＰに対応する閾値ＴＨ以下のときは、現時点で選択されているアンテナの受信感度は良好であると判断できる。
【００２７】
ＣＰＵ２２は、図２（Ｅ）に示すように偶数フィールド期間をアンテナ切換期間とし、この期間にＲＦ＿ＡＧＣ電圧をＶＩＦ／ＳＩＦ回路１８から取り込む。取り込まれたＲＦ＿ＡＧＣ電圧は、閾値ＴＨと比較される。ＲＦ＿ＡＧＣ電圧が閾値ＴＨを上回れば、ＣＰＵ２２は、現時点で選択されているアンテナの受信感度が不良とあるとみなし、次のようなダイバーシティ動作を実行する。
【００２８】
ＣＰＵ２２はまず、アンテナ１２ａの選択をセレクタ１４に要求し、アンテナ１２ａで捉えられた高周波テレビジョン信号に基づく映像中間周波数信号に適するＩＦ＿ＡＧＣ電圧をＶＩＦ／ＳＩＦ回路１８から取り込む。ＣＰＵ２２はまた、アンテナ１２ｂの選択をセレクタ１４に要求し、アンテナ１２ｂで捉えられた高周波テレビジョン信号に基づく映像中間周波数信号に適するＩＦ＿ＡＧＣ電圧をＶＩＦ／ＳＩＦ回路１８から取り込む。
【００２９】
ＣＰＵ２２は、こうして取り込まれた２つのＩＦ＿ＡＧＣ電圧の中から電圧値がより小さいＩＦ＿ＡＧＣ電圧を特定し、特定されたＩＦ＿ＡＧＣ電圧に対応するアンテナの選択をセレクタ１４に要求する。これによって、受信感度が良好なアンテナが選択され、ＬＣＤモニタ３８に表示される映像の品質が向上する。
【００３０】
ＣＰＵ２２は、図４に示す取り込み制御タスク、図５に示す表示制御タスクおよび図６に示すアンテナ制御タスクを含む複数のタスクを並列的に実行する。なお、これらのタスクに対応する制御プログラムは、フラッシュメモリ２４に記憶される。
【００３１】
図４を参照して、ステップＳ１では書き込みフラグＦｗをセットする。ステップＳ３では垂直同期信号Ｖｓｙｎｃが発生したか否かを判別し、ステップＳ５では書き込みフラグＦｗがセット状態であるか否かを判別する。書き込みフラグＦｗがセット状態のときに垂直同期信号Ｖｓｙｎｃが発生すると、ステップＳ３およびＳ５の各々でＹＥＳと判別し、ステップＳ７で書き込み命令を書き込み制御回路３０に向けて発行する。
【００３２】
間引き回路２８から与えられた１フィールドの映像データは、書き込み制御回路３０によってバッファメモリ３２に書き込まれる。続くステップＳ９では書き込みフラグＦｗをリセットし、その後ステップＳ３に戻る。
【００３３】
書き込みフラグＦｗがリセット状態のときに垂直同期信号Ｖｓｙｎｃが発生すると、ステップＳ３でＹＥＳと判別する一方、ステップＳ５でＮＯと判断し、ステップＳ１１で書き込みフラグＦｗをセットする。ステップＳ１１の処理が完了すると、ステップＳ３に戻る。
【００３４】
したがって、書き込みフラグＦｗは、２フィールド毎にセットされ、各フィールドの映像データは２フィールドに１回の割合でバッファメモリ３２に書き込まれる。
【００３５】
図５を参照して、ステップＳ２１では垂直同期信号Ｖｓｙｎｃが発生したか否かを判別し、ステップＳ２３では書き込みフラグＦｗがリセット状態であるか否かを判別する。書き込みフラグＦｗがセット状態のときに垂直同期信号Ｖｓｙｎｃが発生すると、ステップＳ２１でＹＥＳと判断する一方、ステップＳ２３でＮＯと判断し、ステップＳ２１に戻る。
【００３６】
書き込みフラグＦｗがリセット状態のときに垂直同期信号Ｖｓｙｎｃが発生すると、ステップＳ２１およびＳ２３の各々でＹＥＳと判断し、ステップＳ２５に進む。ステップＳ２５では読み出し命令を読み出し制御回路３４に向けて発行し、ステップＳ２７では表示命令をＬＣＤドライバ３６に向けて発行する。
【００３７】
バッファメモリ３２に格納された１フィールドの映像データは、読み出し制御回路３４によって読み出される。ＬＣＤドライバ３６は、読み出された映像データに基づいて１フィールド期間にわたってＬＣＤモニタ３８を駆動する。この結果、１フィールドの映像がモニタ画面に表示される。ステップＳ２７の処理が完了すると、ステップＳ２１に戻る。
【００３８】
図６を参照して、ステップＳ３１では垂直同期信号Ｖｓｙｎｃが発生したか否かを判別し、ステップＳ３３では書き込みフラグＦｗがリセット状態であるか否かを判別する。書き込みフラグＦｗがセット状態のときに垂直同期信号Ｖｓｙｎｃが発生すると、ステップＳ３１でＹＥＳと判断する一方、ステップＳ３３でＮＯと判断し、ステップＳ３１に戻る。書き込みフラグＦｗがリセット状態のときに垂直同期信号Ｖｓｙｎｃが発生すると、ステップＳ３１およびＳ３３の各々でＹＥＳと判断し、ステップＳ３５に進む。
【００３９】
ステップＳ３５では、ＶＩＦ／ＳＩＦ回路１８からＲＦ＿ＡＧＣ電圧を取り込む。続くステップＳ３７では、取り込まれたＲＦ＿ＡＧＣ電圧が閾値ＴＨを上回るか否か（ＲＦ＿ＡＧＣ電圧がエラー条件に合致するか否か）を判別する。ＲＦ＿ＡＧＣ電圧が閾値ＴＨ以下であれば、現時点で選択されているアンテナの受信感度は良好であるとみなし、そのままステップＳ３１に戻る。一方、ＲＦ＿ＡＧＣ電圧が閾値を上回れば、現時点で選択されているアンテナの受信感度は不良であるとみなし、受信感度がより良好なアンテナを選択するべくステップＳ３９〜Ｓ４９の処理を実行する。
【００４０】
まずステップＳ３９でアンテナ１２ａの選択をセレクタ１４に要求する。この結果、アンテナ１２ａで捉えられた高周波テレビジョン信号が、セレクタ１４を介してチューナ１６に与えられる。ステップＳ４１では、ＶＩＦ／ＳＩＦ回路からＩＦ＿ＡＧＣ電圧を取り込む。取り込まれたＩＦ＿ＡＧＣ電圧は、アンテナ１２ａで捉えられた高周波テレビジョン信号に対応する映像中間周波数信号のゲインを目標値（既定値）に設定するための電圧である。
【００４１】
ステップＳ４３では、アンテナ１２ｂの選択をセレクタ１４に要求する。この結果、アンテナ１２ｂで捉えられた高周波テレビジョン信号が、セレクタ１４を介してチューナ１６に与えられる。ステップＳ４５では、ＶＩＦ／ＳＩＦ回路からＩＦ＿ＡＧＣ電圧を取り込む。取り込まれたＩＦ＿ＡＧＣ電圧は、アンテナ１２ｂで捉えられた高周波テレビジョン信号に対応する映像中間周波数信号のゲインを目標値（既定値）に設定するための電圧である。
【００４２】
ステップＳ４７では、ステップＳ４１およびＳ４５でそれぞれ取り込まれた２つのＩＦ＿ＡＧＣ電圧のうち電圧値が小さい方のＩＦ＿ＡＧＣ電圧を特定する。ステップＳ４９では、特定されたＩＦ＿ＡＧＣ電圧に対応するアンテナの選択をセレクタ１４に要求する。ステップＳ４９の処理が完了すると、ステップＳ３１に戻る。
【００４３】
以上の説明から分かるように、高周波テレビジョン信号は、アンテナ１２ａおよび１２ｂの各々によって捉えられる。セレクタ１４は、かかるアンテナ１２ａおよび１２ｂの一方を選択する。間引き回路２８は、受信された高周波テレビジョン信号に基づいて複数フィールド（複数画面）の映像データを作成する。作成された映像データは、書き込み制御回路３０によって、フィールド単位で間欠的にバッファメモリ３２に書き込まれる。読み出し制御回路３４は、バッファメモリ３２に格納された映像データを書き込み制御回路３４による書き込み動作（抽出動作）の合間で読み出す。ＬＣＤドライバ３６は、バッファメモリ３２から読み出された映像データに基づく映像を、抽出動作の合間でＬＣＤモニタ３８に表示する。また、ＣＰＵ２２は、抽出動作の合間でセレクタ１４にアンテナの切り換えを要求する(S49)。
【００４４】
映像データをフィールド単位で間欠的に抽出することで、少なくとも１フィールドに相当する期間が抽出動作の合間に確保される。アンテナ切り換えはこのような合間で要求され、これによってアンテナが切り換えられる。少なくとも１フィールドに相当する期間を確保することで、アンテナを的確に切り換えることができる。
【００４５】
また、映像データはフィールド単位で間欠的にバッファメモリ３２に書き込まれる一方、バッファメモリ３２に格納された映像データは書き込み動作の合間で読み出される。これによって、バッファメモリ３２に書き込まれる映像データの品質つまり表示される映像の品質がＬＣＤドライバ３６の表示動作に起因して発生した高周波ノイズによって劣化することはない。この結果、表示映像の品質が向上する。
【００４６】
さらに、ＬＣＤモニタ３８の垂直解像度はＡ／Ｄ変換器２６から出力される各フィールドの映像データの垂直解像度以下である。これによって、間欠的な書き込み動作に起因する表示映像の更新周期の低下を防止することができる。また、間引き回路２８は、書き込み制御回路３０の前段に設けられる。これによって、バッファメモリ３２の容量を抑えることができる。
【００４７】
なお、この実施例では、バッファメモリ３２への書き込み動作およびＬＣＤモニタ３８の表示動作を１／３０秒毎に実行するようにしているが、これらの動作周期は、１／３０秒のＮ分の１（Ｎ：２以上の整数）であってもよい。
【００４８】
アンテナの切り換え動作が書き込み動作の合間で実行される限り、書き込み動作は不定期であってもよい。
【図面の簡単な説明】
【００４９】
【図１】この発明の一実施例の構成を示すブロック図である。
【図２】（Ａ）は映像受信動作の一部を示すタイミング図であり、（Ｂ）はメモリへの映像書き込み動作の一部を示すタイミング図であり、（Ｃ）はメモリからの映像読み出し動作の一部を示すタイミング図であり、（Ｄ）はＬＣＤモニタへの映像表示動作の一部を示すタイミング図であり、そして（Ｅ）はダイバーシティ動作の一部を示すタイミング図である。
【図３】（Ａ）は電界強度とＲＦ＿ＡＧＣ電圧との関係の一例を示すグラフであり、（Ｂ）は電界強度とＩＦ＿ＡＧＣ電圧との関係の一例を示すグラフである。
【図４】ＣＰＵの動作の一部を示すフロー図である。
【図５】ＣＰＵの動作の他の一部を示すフロー図である。
【図６】ＣＰＵの動作のその他の一部を示すフロー図である。
【符号の説明】
【００５０】
１０  …テレビジョン受像機
１２ａ，１２ｂ  …アンテナ
１４  …セレクタ
１６  …チューナ
１８  …ＶＩＦ／ＳＩＦ回路
２０  …ＮＴＳＣデコーダ
２２  …ＣＰＵ
３０  …書き込み制御回路
３２  …バッファメモリ
３４  …読み出し制御回路
３６  …ＬＣＤドライバ
３８  …ＬＣＤモニタ
【図１】
2007266986.tif 000003
【図２】
2007266986.tif 000004
【図３】
2007266986.tif 000005
【図４】
2007266986.tif 000006
【図５】
2007266986.tif 000007
【図６】
2007266986.tif 000008